(57)【要約】【課題】歯列矯正のための透明矯正器を含む矯正機構及びその製造方法において、場合により他の矯正方式を複合的に利用しなければならないという問題点や、透明矯正器の歯牙移動距離の制限により矯正期間が長くなるという問題点を解決する。【解決手段】第１刃に中空のパンチング棒が形成され、第２刃にパンチング棒が挿入される環が形成された第１プライヤと、上部の幅が下部の幅より大きい二重環が形成された第２プライヤとを用いて、少なくとも一対のボタン20を透明矯正器10に設ける。板状のボディ410とノッチ420とを備える補助器具40を用いて、弾性ベルト30を、ボタン20間に掛け渡す。このようにして、透明矯正器10に設けたボタン20間に牽引力を加える。【選択図】図１
2016129709.tif 000002
【特許請求の範囲】
【請求項１】
透明矯正器に追加的な矯正力を提供するために弾性ベルトを牽引するボタンを備える透
明矯正器であって、
前記ボタンは、
前記透明矯正器のボタンが形成される部分に熱を加えて軟性に変化された透明矯正器を
押圧突出させて前記透明矯正器と一体に形成され、  前記透明矯正器から直接突出したシ
リンダと、
前記シリンダの上部で前記シリンダより幅が大きく形成された頭部と、
を含むことを特徴とする、透明矯正器。
【請求項２】
前記ボタンは、
第１刃に中空のパンチング棒が形成され、第２刃に前記パンチング棒が挿入される環が
形成された第１プライヤを加熱し、前記透明矯正器のボタンが形成される位置で前記加熱
された第１プライヤを押圧突出してシリンダが形成され、
上部の幅が下部の幅より大きく形成された二重環が形成された第２プライヤを加熱し、
前記シリンダに加熱された第２プライヤを押圧して前記シリンダの上部に幅の大きい頭部
が形成されることを特徴とする、請求項１に記載の透明矯正器。
【請求項３】
前記ボタンは、
前記透明矯正器に少なくとも一対が形成されたことを特徴とする、請求項１に記載の透
明矯正器。
【請求項４】
透明矯正器にボタンを形成する透明矯正器製造方法であって、
前記透明矯正器のボタンが形成される部分に熱を加えて前記透明矯正器を軟性に変化さ
せるステップと、
前記軟性に変化された透明矯正器を押圧して突出させて前記透明矯正器と一体に形成さ
れたボタンを形成するステップと、
を含むことを特徴とする、透明矯正器ボタン製造方法。
【請求項５】
前記ボタンを形成するステップは、
第１プライヤ（Plier）に熱を加えた状態でボタンが形成される位置で前記第１プライ
ヤを押圧して前記押圧された第１プライヤの熱により第１プライヤが接触する透明矯正器
部分が軟性に変化し、軟性に変化された状態で第１プライヤが押圧突出して透明矯正器に
凸な形状のシリンダを形成するステップと、
第２プライヤを用いて前記シリンダの上部を押圧してシリンダより幅の大きい頭部を形
成するステップと、
を含むことを特徴とする、請求項４に記載の透明矯正器ボタン製造方法。
【請求項６】
前記第１プライヤは、
２つの刃が交差する形態に構成され、第１刃の端部には中空のパンチ棒が形成され、第
２刃の端部には前記パンチ棒が挿入されるリングが形成されたことを特徴とする、請求項
５に記載の透明矯正器ボタン製造方法。
【請求項７】
前記第２プライヤは、
第１刃と第２刃が半円形状に構成され、上部の半円が下部の半円より大きい二重半円に
構成され、押圧により第１刃と第２刃とが当接する二重円で構成されたことを特徴とする
、請求項５に記載の透明矯正器ボタン製造方法。
【請求項８】
透明矯正器と結合して追加的な矯正力を提供する牽引装置であって、
透明矯正器の矯正力を必要とする歯牙部分に形成される少なくとも一対のボタンと、
前記ボタンの間を牽引して矯正力を提供する弾性ベルトと、
板状のボディと、前記ボディの一側面に前記弾性ベルトを挿入する溝が形成され、前記
溝に弾性ベルトを挿入して掛けた状態で前記ボディを移動させて容易に前記少なくとも一
対のボタンに前記弾性ベルトを掛けて牽引する補助機構と、
を含むことを特徴とする、透明矯正器用牽引装置。
【請求項９】
前記一対のボタンは、
上顎または下顎のうちから選択されたいずれか１つの同一な透明矯正器に形成されたり
、上顎の透明矯正器と下顎の透明矯正器の各々に形成されることを特徴とする、請求項８
に記載の透明矯正器用牽引装置。
【請求項１０】
前記一対のボタンは、
少なくとも１つのボタンが独立的に製作された独立ボタンで構成されて歯牙に付着され
、
前記独立ボタンが付着された歯牙領域と当接する透明矯正器部分が穿孔されたことを特
徴とする、請求項８に記載の透明矯正器用牽引装置。
【請求項１１】
前記独立ボタンは、
接着剤が塗布されて歯牙に付着される固定部と、
前記固定部の上部で弾性ベルトと牽引されるシリンダと、
前記シリンダの上部で前記シリンダより幅が大きく形成された頭部と、
を含むことを特徴とする、請求項１０に記載の透明矯正器用牽引装置。
【請求項１２】
前記ボタンは、
前記透明矯正器路から突出したシリンダと、
前記弾性ベルトの離脱を防止するために前記シリンダの上部に前記シリンダの幅より大
きく形成された頭部と、
を含むことを特徴とする、請求項８に記載の透明矯正器用牽引装置。
【請求項１３】
前記溝は、
前記弾性ベルトが挿入される初入部のサイズが前記弾性ベルトの幅より小さく形成され
て挿入された弾性ベルトの外部への離脱を防止することを特徴とする、請求項８に記載の
透明矯正器用牽引装置。
【請求項１４】
前記ボディ一端には、
着用された透明矯正器を掛けて離脱させるための屈曲部を含むことを特徴とする、請求
項８に記載の透明矯正器用牽引装置。
【請求項１５】
前記ボタンは、
第１刃に中空のパンチング棒が形成され、第２刃に前記パンチング棒が挿入される環が
形成された第１プライヤを加熱し、前記透明矯正器のボタンが形成される位置で前記加熱
された第１プライヤを押圧してシリンダを形成し、
上部の幅が下部の幅より大きく形成された二重環が形成された第２プライヤを加熱し、
前記シリンダに加熱された第１プライヤを押圧して前記シリンダの上部に幅の大きい頭部
を形成することを特徴とする、請求項１４に記載の透明矯正器用牽引装置。
【請求項１６】
透明矯正器の矯正力を必要とする歯牙部分に形成される少なくとも一対のボタンと前記
ボタンの間を牽引する弾性ベルトを備えて透明矯正器に追加的な矯正力を提供する牽引装
置に使われる透明矯正器牽引装置用補助機構であって、
板状のボディと、
前記ボディの一側面に前記弾性ベルトを挿入する溝が形成された補助機構を含み、
前記溝に弾性ベルトを挿入して掛けた状態で前記ボディを移動させて前記ボタンに前記
弾性ベルトを容易に掛けて牽引することを特徴とする、透明矯正器牽引装置用補助機構。
【請求項１７】
前記溝は、
前記弾性ベルトが挿入される初入部のサイズが前記弾性ベルトの幅より小さく形成され
て挿入された弾性ベルトの外部への離脱を防止することを特徴とする、請求項１６に記載
の透明矯正器牽引装置用補助機構。
【請求項１８】
前記ボディ一端には、
着用された透明矯正器を掛けて離脱させるための屈曲部を含むことを特徴とする、請求
項１６に記載の透明矯正器牽引装置用補助機構。
【発明の詳細な説明】
【技術分野】
【０００１】
本発明は、透明矯正器及びその製造方法、透明矯正器用牽引装置、及び透明矯正器牽引
装置用補助機構に関し、より詳しくは、歯牙状態の不規則により透明矯正器だけで矯正が
不可能な場合、透明矯正器を弾性ベルトで牽引して矯正力を増加させて矯正効果を高める
ことができる透明矯正器及びその製造方法、透明矯正器用牽引装置、及び透明矯正器牽引
装置用補助機構に関する。
【背景技術】
【０００２】
歯牙矯正は、金属ブラケットからなる矯正装置を用いる金属歯牙矯正と歯牙の内側に矯
正装置を適用する舌側矯正と透明な素材の透明矯正器を歯牙に装着して矯正する透明矯正
方式とに区分できる。
【０００３】
特に、透明矯正方式は透明な素材の透明矯正器をマウスパッドのように歯牙に覆ってか
ぶせる方式であるので、矯正器が外部から視認できないだけでなく、着脱可能で、着用性
に優れる効果により他の矯正方式に比べて大きく脚光を浴びている。
【０００４】
透明矯正器を用いた透明矯正方式は、矯正を必要とする歯牙の移動距離と方向を考慮し
て多数個の段階により透明矯正器を製造して着用する方式であって、各段階別着用期間の
間透明矯正器を着用すれば、透明矯正器の形状に歯牙が移動するようになって、最終段階
の透明矯正器まで着用する場合、最終的に歯牙矯正が完了する方式である。
【０００５】
しかしながら、歯牙配列が不規則であるか、特定歯牙がひどく突出している場合のよう
に、透明矯正器の矯正力だけで矯正が容易でない場合には、他の矯正方式を複合的に利用
しなければならないという問題があり、透明矯正器の歯牙移動距離の制限により矯正期間
が長くなる問題があった。
【発明の概要】
【発明が解決しようとする課題】
【０００６】
上記のような問題点を解決するために案出したものであって、本発明の目的は、透明矯
正器に少なくとも一対のボタンを形成し、上記ボタンの間を弾性ベルトで牽引して透明矯
正器に追加矯正力を提供することができる透明矯正器及びその製造方法、そして上記透明
矯正器用牽引装置、そして上記透明矯正器牽引装置用補助機構を提供することにある。
【課題を解決するための手段】
【０００７】
上記のような目的を達成するために、本発明に従う透明矯正器は、透明矯正器に追加的
な矯正力を提供するために弾性ベルトを牽引するボタンを備える透明矯正器であって、上
記ボタンは上記透明矯正器のボタンが形成される部分に熱を加えて軟性に変化された透明
矯正器を押圧突出させて上記透明矯正器と一体に形成され、上記透明矯正器から直接突出
したシリンダと、上記シリンダの上部で上記シリンダより幅が大きく形成された頭部を含
むことを特徴とする。
【０００８】
そして、上記ボタンは第１刃に中空のパンチング棒が形成され、第２刃に上記パンチン
グ棒が挿入される環が形成された第１プライヤを加熱し、上記透明矯正器のボタンが形成
される位置で上記加熱された第１プライヤを押圧突出してシリンダが形成され、上部の幅
が下部の幅より大きく形成された二重環が形成された第２プライヤを加熱し、上記シリン
ダに加熱された第２プライヤを押圧して上記シリンダの上部に幅の大きい頭部が形成され
ることを特徴とする。
【０００９】
また、上記ボタンは上記透明矯正器に少なくとも一対が形成されたことを特徴とする。
【００１０】
一方、本発明に従う透明矯正器製造方法は、透明矯正器にボタンを形成する透明矯正器
製造方法であって、上記透明矯正器のボタンが形成される部分に熱を加えて上記透明矯正
器を軟性に変化させるステップと、上記軟性に変化された透明矯正器を押圧して突出させ
て上記透明矯正器と一体に形成されたボタンを形成するステップとを含むことを特徴とす
る。
【００１１】
そして、上記ボタンを形成するステップは、第１プライヤ（Plier）に熱を加えた状態
でボタンが形成される位置で上記第１プライヤを押圧して上記押圧された第１プライヤの
熱により第１プライヤが接触する透明矯正器部分が軟性に変化し、軟性に変化された状態
で第１プライヤが押圧突出して透明矯正器に凸な形状のシリンダを形成するステップと、
第２プライヤを用いて上記シリンダの上部を押圧してシリンダより幅の大きい頭部を形成
するステップとを含むことを特徴とする。
【００１２】
また、上記第１プライヤは２つの刃が交差する形態に構成され、第１刃の端部には中空
のパンチ棒が形成され、第２刃の端部には上記パンチ棒が挿入されるリングが形成された
ことを特徴とする。
【００１３】
そして、上記第２プライヤは第１刃と第２刃が半円形状に構成され、上部の半円が下部
の半円より大きい二重半円で構成され、押圧により第１刃と第２刃とが当接する二重円で
構成されたことを特徴とする。
【００１４】
一方、本発明に従う透明矯正器牽引装置は、透明矯正器と結合して追加的な矯正力を提
供する牽引装置であって、透明矯正器の矯正力を必要とする歯牙部分に形成される少なく
とも一対のボタンと上記ボタンの間を牽引して矯正力を提供する弾性ベルトと板状のボデ
ィと、上記ボディの一側面に上記弾性ベルトを挿入する溝が形成され、上記溝に弾性ベル
トを挿入して掛けた状態で上記ボディを移動させて容易に上記少なくとも一対のボタンに
上記弾性ベルトを掛けて牽引する補助機構を含むことを特徴とする。
【００１５】
ここで、上記一対のボタンは上顎または下顎のうちから選択されたいずれか１つの同一
な透明矯正器に形成されたり、上顎の透明矯正器と下顎の透明矯正器の各々に形成された
りすることを特徴とする。
【００１６】
そして、上記一対のボタンは少なくとも１つのボタンが独立的に製作された独立ボタン
で構成されて歯牙に付着され、上記独立ボタンが付着された歯牙領域と当接する透明矯正
器部分が穿孔されたことを特徴とする。
【００１７】
また、上記独立ボタンは、接着剤が塗布されて歯牙に付着される固定部と、上記固定部
の上部で弾性ベルトと牽引されるシリンダと、上記シリンダの上部で上記シリンダより幅
が大きく形成された頭部とを含むことを特徴とする。
【００１８】
そして、上記ボタンは、上記透明矯正器から突出したシリンダと、上記弾性ベルトの離
脱を防止するために上記シリンダの上部に上記シリンダの幅より大きく形成された頭部と
を含むことを特徴とする。
【００１９】
また、上記溝は上記弾性ベルトが挿入される初入部のサイズが上記弾性ベルトの幅より
小さく形成されて挿入された弾性ベルトの外部への離脱を防止することを特徴とする。
【００２０】
そして、上記ボディの一端には着用された透明矯正器を掛けて離脱させるための屈曲部
を含むことを特徴とする。
【００２１】
また、上記ボタンは第１刃に中空のパンチング棒が形成され、第２刃に上記パンチング
棒が挿入される環が形成された第１プライヤを加熱し、上記透明矯正器のボタンが形成さ
れる位置で上記加熱した第１プライヤを押圧してシリンダを形成し、上部の幅が下部の幅
より大きく形成された二重環が形成された第２プライヤを加熱し、上記シリンダに加熱さ
れた第１プライヤを押圧して上記シリンダの上部に幅の大きい頭部を形成することを特徴
とする。
【００２２】
一方、本発明に従う透明矯正器牽引装置用補助機構は、透明矯正器の矯正力を必要とす
る歯牙部分に形成される少なくとも一対のボタンと上記ボタンの間を牽引する弾性ベルト
を備えて透明矯正器に追加的な矯正力を提供する牽引装置に使われる透明矯正器牽引装置
用補助機構であって、板状のボディと上記ボディの一側面に上記弾性ベルトを挿入する溝
が形成された補助機構を含み、上記溝に弾性ベルトを挿入して掛けた状態で上記ボディを
移動させて上記ボタンに上記弾性ベルトを容易に掛けて牽引することを特徴とする。
【００２３】
ここで、上記溝は上記弾性ベルトが挿入される初入部のサイズが上記弾性ベルトの幅よ
り小さく形成されて挿入された弾性ベルトの外部への離脱を防止することを特徴とする。
【００２４】
そして、上記ボディの一端には着用された透明矯正器を掛けて離脱させるための屈曲部
を含むことを特徴とする。
【発明の効果】
【００２５】
前述したように、本発明に従う透明矯正器及びその製造方法、透明矯正器用牽引装置、
及び透明矯正器牽引装置用補助機構は、透明矯正器に形成されたボタンの間を弾性ベルト
で牽引させて追加矯正力を提供することによって、透明矯正器だけで矯正が不可能な不規
則な歯牙配列を有する患者に対する矯正が可能な卓越した効果が発生する。
【００２６】
また、透明矯正器に矯正力を増加させて矯正時間を短縮させることができる卓越した効
果が発生する。
【図面の簡単な説明】
【００２７】
【図１】本発明の好ましい実施形態に従う透明矯正器用牽引装置を概略的に示す斜視図である。
【図２】本発明の好ましい実施形態に従う垂直方向に牽引力が作用することを示す牽引装置の概略図である。
【図３】本発明の好ましい実施形態に従う水平方向に牽引力が作用することを示す牽引装置の概略図である。
【図４】３個のボタンに弾性ベルトが牽引されたことを示す図である。
【図５】本発明の好ましい実施形態に従う独立ボタンが歯牙に付着されたことを示す図である。
【図６】本発明に従って透明矯正器にボタンを形成するためのプライヤを概略的に示す図であって、図６ａは第１プライヤを示す図であり、図６ｂは第２プライヤを示す図である。
【図７】独立ボタンが付着された歯牙領域に対応する透明矯正器部分が穿孔されたことを示す図である。
【図８】透明矯正器が歯牙に装着された状態でボタンに弾性ベルトを容易に牽引するための補助機構を概略的に示す斜視図である。
【図９】本発明の好ましい実施形態に従う補助機構を用いて弾性ベルトをボタンに牽引させる過程を概略的に示す図である。
【図１０Ａ】本発明の好ましい実施形態に従う３個のボタンに弾性ベルトを牽引する過程を示す図である。
【図１０Ｂ】本発明の好ましい実施形態に従う３個のボタンに弾性ベルトを牽引する過程を示す図である。
【図１０Ｃ】本発明の好ましい実施形態に従う３個のボタンに弾性ベルトを牽引する過程を示す図である。
【図１０Ｄ】本発明の好ましい実施形態に従う３個のボタンに弾性ベルトを牽引する過程を示す図である。
【発明を実施するための形態】
【００２８】
以下、本発明の具体的な実施形態に対して図面を参照して詳細に説明する。
【００２９】
図１は本発明の好ましい実施形態に従う透明矯正器用牽引装置を概略的に示す斜視図で
ある。
【００３０】
図１を参照すると、本発明に従う牽引装置は透明矯正器１０の矯正力を必要とする歯牙
部分に形成される一対のボタン２０と上記ボタンの間を牽引して矯正力を提供する弾性ベ
ルト３０を含んで構成できる。
【００３１】
透明矯正器１０は現在歯牙状態に従って最終的に矯正された歯牙に配列させるために矯
正を必要とする歯牙を拡張、回転、復帰移動させるために使われる装置であって、患者の
歯牙に重ねてかぶせて使われ、矯正を必要とする歯牙の最大移動量（好ましくは、１mm以
下）を考慮して多段階に製作されて使われる。
【００３２】
ここで、上記透明矯正器１０は矯正を必要とする歯牙が拡張、回転、復帰移動されるよ
うに設計されて製作されたので、患者が所要矯正期間の間、透明矯正器１０を着用すれば
、透明矯正器１０の形状により歯牙が強制的に微細移動するようになる。
【００３３】
しかしながら、透明矯正器１０は矯正を必要とする歯牙部分は微細に変化させて製作さ
れるので、矯正力に限界があり、透明矯正器１０の形状による矯正力により矯正が不可能
な場合が発生し、このために本発明に従う牽引装置が必要である。
【００３４】
より詳しくは、上記ボタン２０は透明矯正器１０の外側に突起形状に形成され、ボタン
の間を牽引して矯正力を提供するために少なくとも一対で構成できる。
【００３５】
そして、上記ボタン２０は透明矯正器１０の歯牙領域または歯茎領域など、如何なる部
位にも形成されることができ、１つのボタンは強い矯正力を必要とする歯牙または歯茎領
域に形成され、他の１つのボタンは歯牙状態に従って牽引力が必要な方向によって形成さ
れる位置が指定できる。
【００３６】
例えば、垂直方向に牽引力が必要な場合には、図２のように矯正を必要とする歯牙領域
に１つのボタンが形成され、上記ボタンと垂直ライン上に他の１つのボタンが形成できる
。即ち、下顎の歯牙が前方に突出して垂直方向に牽引が必要な場合、上記下顎の透明矯正
器１０の歯牙の近隣の歯牙または歯茎領域に第１ボタンが形成され、第２ボタンがボタン
の上顎の透明矯正器１０に形成され、かつ上記第１ボタンの垂直なライン上に第２ボタン
が形成されて牽引力に提供できる。
【００３７】
そして、水平方向に牽引力が必要な場合には、図３のように、上記矯正を必要とする歯
牙領域に１つのボタンが形成され、水平ライン上に他の１つのボタンが形成できる。
【００３８】
つまり、上記ボタン２０は上顎の透明矯正器１０と下顎の透明矯正器１０に各々１つが
形成されて牽引されることもできるが、同一な透明矯正器１０に２つのボタンが形成され
て牽引されることもできる。
【００３９】
そして、上記ボタン２０は２つが一対で形成されることが一般的であるが、矯正力の方
向やサイズによって図４のように３個以上のボタンが１つの弾性ベルト３０で牽引される
ように形成できる。
【００４０】
また、上記ボタンは歯牙に直接付着されることもできる。
【００４１】
より詳しくは、ボタンは透明矯正器に直接形成できるが、独立的に製造されて歯牙に付
着できる。
【００４２】
ボタンが透明矯正器に形成される場合、牽引力は歯牙でない透明矯正器に作用するので
、歯牙に作用する矯正力が落ちることがあるが、歯牙に直接形成される場合、歯牙自体に
牽引力が作用するので、強い矯正力を得ることができる。
【００４３】
したがって、一対のボタンのうち、矯正を必要とする歯牙に付着されるボタンは独立的
に製作された独立ボタン２０Ａで製作されて歯牙表面に付着し、残りの１つのボタンは透
明矯正器に形成して弾性ベルト３０により牽引できる。
【００４４】
また、一対のボタンは全て独立ボタン２０Ａで製作されて弾性ベルト３０により牽引さ
れるように構成できる。
【００４５】
図５は、独立的に製作されたボタンが歯牙に付着されたことを示す図である。
【００４６】
図５のように、独立的にボタンが製作されれば、矯正を必要とする歯牙に上記ボタンを
接着剤を用いて付着する。上記ボタンは歯牙に付着されるので、上記接着剤は人体に無害
な成分でなければならないので、象牙質接着剤のような歯科専用接着剤を使用する。
【００４７】
上記独立的に製作されたボタンは透明矯正器と同一な透明材料を射出して製作すること
ができ、歯牙に固定される固定部と上記固定部の上のシリンダと上記シリンダの上に形成
されるシリンダの幅より大きく形成された頭部を含んで構成できる。
【００４８】
矯正力を必要とする歯牙が多数個の場合、多数個のボタンが歯牙に直接付着できる。
【００４９】
また、上記ボタンを独立的に製作して歯牙に付着する場合、透明矯正器の着用が不可能
であるので、製造された透明矯正器のうち、上記ボタンが付着される位置を穿孔して歯牙
にボタンが付着された状態で透明矯正器を着用することができる。
【００５０】
そして、上記弾性ベルト３０は上記ボタンの間を結合して透明矯正器１０に牽引力を提
供する役割を担う。
【００５１】
上記弾性ベルト３０は、透明矯正器１０に形成されるボタンの間の距離だけ弾性力によ
り伸縮され、ボタンの間に牽引された場合、復原力による矯正力が作用できるようにゴム
のように弾性を有する材料で構成され、口の中に装着されるので、人体に無害な無毒性材
料で形成されることが好ましい。
【００５２】
以下、本発明に従う透明矯正器用牽引装置製造方法について説明する。
【００５３】
基本的に透明矯正器１０は歯牙の移動制限（１mm以下）があるため、多数個の段階に区
分されて製造され、１段階の透明矯正器に対する着用期間が経過すれば、２段階の透明矯
正器に取り替えて着用する過程を最後の段階まで繰り返して着用して歯牙が矯正されるよ
うになる。
【００５４】
ここで、各段階の透明矯正器１０は必要によって本発明に従う牽引装置が含まれること
もでき、排除されることもできる。即ち、牽引装置を装着するか否かは患者の歯牙状態に
よって決定され、各段階の透明矯正器１０を通じての矯正力だけで矯正が困難な場合、牽
引力により追加矯正力を必要とする場合に牽引装置が使用できる。
【００５５】
まず、上顎と下顎に対する透明矯正器１０が製造されれば、上記透明矯正器のボタン２
０が形成される位置を指定し、ボタン２０を形成する。
【００５６】
透明矯正器１０は、プラスチック系列の親環境透明素材であるTupanで製造され、高温
に露出すれば変形が発生する素材であるので、熱を用いて透明矯正器材料自体を用いてボ
タン２０を形成する。
【００５７】
しかしながら、直接的に透明矯正器１０に熱を加える場合、形状に変形が発生すること
があるので、間接的に熱を加える方式を用いて、まず突起を形成する第１プライヤ（Plie
r）に熱を加えた状態でボタン２０が形成される位置で上記第１プライヤを押圧して上記
押圧された第１プライヤの熱により第１プライヤが接触する透明矯正器部分が軟性に変化
し、軟性に変化された状態で第１プライヤが押圧されて透明矯正器１０に凸な形状のシリ
ンダが形成される。
【００５８】
上記第１プライヤは、図６のように、一般的なプライヤのように２つの刃が交差する形
態に構成され、第１刃の端部には中空のパンチ棒が形成され、第２刃の端部には上記パン
チ棒が挿入されるリングが形成される。
【００５９】
したがって、第１プライヤをガストーチのような加熱手段により熱を加えた後、上記第
１プライヤを透明矯正器のボタン２０が形成される位置に整列した後に押圧すれば、上記
第１刃の中空のパンチング棒の内部に透明矯正器１０が押されて入って突出したシリンダ
が形成される。
【００６０】
上記のようにシリンダが形成されれば、第２プライヤを用いて上記シリンダの上部にシ
リンダより幅の大きい頭部を形成する。
【００６１】
より詳しくは、第２プライヤは図７のように第１刃と第２刃が半円形状に構成され、上
部の半円が下部の半円より大きい二重半円で構成され、押圧により第１刃と第２刃とが当
接するようになれば、二重円で構成される。
【００６２】
したがって、第２プライヤを加熱した後、上記第１プライヤにより形成されたシリンダ
を押圧すれば、シリンダ２１０の上部に幅の大きい頭部２２０が形成される。
【００６３】
上記頭部２２０は弾性ベルトがボタン２０に挿入されてシリンダに掛かる場合、外部へ
の離脱を防止する役割を担う。
【００６４】
一方、ボタン２０Ａを独立的に製作して歯牙表面に直接付着する場合、まず、ボタンを
射出により製作する。ここで、上記ボタン２０Ａは接着剤により歯牙に付着される固定部
２３０Ａと、上記固定部の上に弾性ベルト３０が牽引されるシリンダ２１０Ａと、上記シ
リンダの上で上記シリンダより幅が大きく形成された頭部２２０Ａとを含んで構成される
。
【００６５】
そして、上記製作されたボタン２０Ａを固定部２３０Ａの背面に接着剤を塗布した後、
矯正を必要とする歯牙表面に付着する。
【００６６】
一方、透明矯正器が製造されれば、図８のように上記ボタン２０Ａが付着される歯牙領
域を穿孔し、上記穿孔された領域を通じて上記ボタン２０Ａが突出するように透明矯正器
を着用する。
【００６７】
図９は、透明矯正器が歯牙に装着された状態でボタン２０が弾性ベルトを容易に牽引す
るための補助機構を概略的に示す斜視図である。
【００６８】
図９を参照すると、補助機構４０は、板状のボディ４１０と、上記ボディの一側面に形
成された溝４２０と、ボディの一端に形成された屈曲部４３０とを含んで構成できる。
【００６９】
上記溝４２０は弾性ベルトを挿入して掛ける役割を担い、上記ボディ４１０は溝に掛か
った弾性ベルトを制御する取っ手の役割を担い、上記屈曲部４３０は歯牙に装着された透
明矯正器１０を容易に分離するための掛止具の役割を担う。
【００７０】
より詳しくは、上記補助機構４０を用いて弾性ベルト３０をボタン２０に牽引する過程
について説明する。本実施形態では３個のボタンに弾性ベルト３０を牽引する実施形態に
ついて説明する。
【００７１】
まず、図１０の（ａ）のように弾性ベルトを補助機構４０の溝４２０に挿入して掛ける
。
【００７２】
ここで、上記溝４２０は弾性ベルトが挿入される初入部のサイズが上記弾性ベルトの幅
より小さく形成され、溝内部の幅は弾性ベルトの幅より大きく形成される。したがって、
弾性ベルトが上記溝４２０に挿入されれば、弾性ベルトが容易に外部に離脱しないように
構成される。
【００７３】
次に、図１０の（ｂ）のように、補助機構のボディ４１０を用いて、３個のボタンのう
ち、第１ボタンに上記弾性ベルトを掛ける。上記補助機構のボディ４１０は板状に構成さ
れるので、ボディを移動させて容易に上記弾性ベルトをボタンに掛けることができる。
【００７４】
第１ボタンに上記弾性ベルト３０が掛かれば、図１０の（ｃ）のように、上記補助機構
のボディ４１０を第２ボタンの位置に引っ張ってボタンの間に弾性ベルトを牽引させる。
【００７５】
上記のように第２ボタンに弾性ベルトが掛かれば、最後に図１０の（ｄ）のように上記
補助機構のボディ４１０を第３ボタンの位置に引っ張って第１、２、３ボタンの間に弾性
ベルトを牽引させる。
【００７６】
図１０の（ａ）から（ｄ）から分かるように、補助機構を利用すれば弾性ベルトを歯牙
に装着された透明矯正器１０に形成されたボタン２０に容易に牽引することができる。
【００７７】
以上に説明した本発明の詳細な説明では、本発明の好ましい実施形態を参照して説明し
たが、本発明の保護範囲は上記実施形態に限定されるものでなく、該当技術分野の通常の
知識を有する者であれば本発明の思想及び技術領域から逸脱しない範囲内で本発明を多様
に修正及び変更させることができることを理解することができる。
【図１】
2016129709.tif 000003
【図２】
2016129709.tif 000004
【図３】
2016129709.tif 000005
【図４】
2016129709.tif 000006
【図５】
2016129709.tif 000007
【図６】
2016129709.tif 000008
【図７】
2016129709.tif 000009
【図８】
2016129709.tif 000010
【図９】
2016129709.tif 000011
【図１０Ａ】
2016129709.tif 000012
【図１０Ｂ】
2016129709.tif 000013
【図１０Ｃ】
2016129709.tif 000014
【図１０Ｄ】
2016129709.tif 000015
【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
少なくとも一対のボタンを有する透明矯正器と、対をなすボタン間に牽引力を提供する弾性ベルトとを含む矯正機構を製造する方法であって、
第１刃の作用端にパンチ棒を有し、第２刃の作用端にリングを有する第１プライヤに熱を加えるステップと、
ボタンを形成する前の透明矯正器におけるボタンを形成すべき対象部分に、加熱された前記パンチ棒と、加熱された前記リングとを接触させることで、第１プライヤからの熱により、前記対象部分を軟性状態に変化させるステップと、
第１プライヤのハンドルを握ることで、加熱された前記パンチ棒と、加熱された前記リングとを、前記対象部分に押し付けることにより、透明矯正器から突き出す中空の突起を設けるとともに孔が形成されないようにするステップと、
平面図において、第１刃及び第２刃の作用端における加工を行なう側に、二重半円状の縁を有し、第１刃と第２刃とが突き当てられた際には、これら作用端の縁が、同心の二重円をなすものである第２プライヤを用い、第２プライヤの第１刃及び第２刃の作用端を、前記中空の突起に接触させるステップと、
第２プライヤのハンドルを握ることで、第２プライヤにおける第１刃及び第２刃の作用端でもって、前記中空の突起における少なくとも一部を押圧して挟み込むことにより、作用端における外側の半円状の縁で、中空の突起の他の部分よりも径の大きい頭部を形成するとともに、作用端における内側の半円状の縁で前記他の部分を形成するステップと
を含む矯正機構の製造方法。
【請求項２】
前記パンチ棒が中空であり、加工側に孔を有する請求項１の矯正機構の製造方法。
【請求項３】
矯正機構を形成するためのキットであって、
少なくとも一対のボタンを対象部分に形成可能な透明矯正器と、
対をなすボタン間に牽引力を提供する弾性ベルトと、
第１刃の作用端にパンチ棒を有し、第２刃の作用端にリングを有し、前記対象部分を、前記パンチ棒と前記リングでもって加熱して押圧することにより、中空の突起を形成するための第１プライヤと、
平面図において、第１刃及び第２刃の作用端における加工を行なう側に、二重半円状の縁を有し、第１刃と第２刃とが突き当てられた際には、これら作用端の縁が、同心の二重円をなすものであり、前記中空の突起における一部に他の部分よりも径の大きい頭部を形成するための第２プライヤとを含むキット。
【請求項４】
患者の歯牙の一部を露出させる抜き部を備えた透明矯正器と、
透明矯正器と別体であって、患者の歯牙に接着剤を用いて取り付けられる少なくとも一対のボタンと、
対をなすボタン間に牽引力を提供する弾性ベルトと
を含む、矯正機構を形成するためのキット。
【請求項５】
ボタンは、
接着剤により歯牙に取り付けられる固定部と、
固定部の上端の上に備えられ、弾性ベルトが巻き付けられるシリンダ状部と、
シリンダ状部の上端の上に備えられ、シリンダ状部よりも径が大きい頭部と
を含む、請求項４の矯正機構を形成するためのキット。